(57)【要約】【課題】トランジスタの特性のばらつきが駆動電流に与える影響を低減可能であり且つコストを低減するうえで有利な表示装置及びそのような表示装置の駆動方法を提供すること。【解決手段】本発明の表示装置１において、画素２は、表示素子２０と、駆動用トランジスタＴｒと、選択用スイッチＳｗ１と、出力制御用スイッチＳｗ２と、第１コンデンサＣ１と、出力制御スイッチＳｗ２により駆動用トランジスタＴｒのソース及びドレインの他方と表示素子２０との間を非導通状態とした際に、駆動用トランジスタＴｒのソースとドレインとの間に一定電流が流れるのを可能とする第１導電パス及び駆動用トランジスタＴｒのゲートと画素２の外部との間での電荷の移動を可能とする第２導電パスを形成する補正信号供給制御部Ｓｗ５ａ，Ｓｗ５ｂとを具備する。【選択図】    図１
2004191388.tif 000002
【特許請求の範囲】
【請求項１】
複数の画素がマトリクス状に配置された表示装置であって、各画素は、
映像信号及びリセット信号が入力される入力端子と、
ゲートがコンデンサを介して前記入力端子と接続され、ソースが電源配線と接続された駆動用トランジスタと、
前記駆動用トランジスタの前記ゲートと定電流回路とを接続する第１スイッチと、
前記駆動用トランジスタのドレインと前記定電流回路とを接続する第２スイッチと、
前記駆動用トランジスタの前記ドレインと出力制御スイッチを介して接続された表示素子とを備えたことを特徴とする表示装置。
【請求項２】
複数の画素がマトリクス状に配置された表示装置であって、各画素は、
映像信号及びリセット信号が入力される入力端子と、
ゲートがコンデンサを介して前記入力端子と接続され、ソースが電源配線と接続された駆動用トランジスタと、
前記駆動用トランジスタのドレインと出力制御スイッチを介して接続された表示素子と、
前記出力制御スイッチにより前記駆動用トランジスタの前記ドレインと前記表示素子との間を非導通状態とした際に、前記駆動用トランジスタのソースとドレインとの間に所定の定電流が流れるのを可能とする第１導電パス及び前記駆動用トランジスタの前記ゲートと前記画素の外部との間での電荷の移動を可能とする第２導電パスを形成する補正信号供給制御部とを具備したことを特徴とする表示装置。
【請求項３】
複数の画素がマトリクス状に配置された表示装置であって、各画素は、
補正期間においてリセット信号が供給され、前記補正期間に続く映像信号書き込み期間において映像信号が供給される入力端子と、
ゲートがコンデンサを介して前記入力端子と接続され、ソースが電源配線と接続され、前記映像信号書き込み期間において前記映像信号に基づき駆動電流を制御する駆動用トランジスタと、
前記駆動用トランジスタにより制御された駆動電流で動作する表示素子と、
前記映像信号供給後に前記駆動用トランジスタのドレインと表示素子とを接続する出力制御スイッチと、
前記補正期間において、前記駆動用トランジスタのソースとドレインとの間に所定の定電流が流れるのを可能とする第１導電パス及び前記駆動用トランジスタのゲートと前記画素の外部との間での電荷の移動を可能とする第２導電パスを形成し、前記映像信号書き込み期間において、前記第１導電パス及び前記第２導電パスを遮断する補正信号供給制御部とを備え、
前記コンデンサは、前記補正期間において、前記所定の定電流に対応する前記駆動用トランジスタのゲート電位に応じた電荷とリセット信号に応じた電荷を保持し、前記映像信号書き込み期間において、前記電荷を保持した状態で一電極側に前記映像信号が供給されることを特徴とする表示装置。
【請求項４】
前記画素は、前記入力端子にドレインが接続された選択用トランジスタを更に備え、
前記選択用トランジスタは、ゲートが前記画素の各行方向に配線された走査配線に接続され、ソースが前記画素の各列方向に配線された映像信号配線に接続されたことを特徴とする請求項１乃至請求項３の何れか１項に記載の表示装置。
【請求項５】
前記画素は、一方の電極が前記駆動用トランジスタのソースに接続されるとともに他方の電極が前記駆動用トランジスタのゲートに接続されたコンデンサをさらに具備したことを特徴とする請求項１乃至請求項４の何れか１項に記載の表示装置。
【請求項６】
前記表示素子は有機ＥＬ素子であることを特徴とする請求項１乃至請求項５の何れか１項に記載の表示装置。
【請求項７】
前記表示装置は、前記画素の行毎に同時に前記第１導電パス及び前記第２導電パスを形成することを特徴とする請求項２または請求項３に記載の表示装置。
【請求項８】
前記表示装置は、各行の前記画素毎に前記第１導電パス及び前記第２導電パスを形成することを特徴とする請求項２または請求項３に記載の表示装置。
【請求項９】
前記映像信号及び前記リセット信号はそれぞれ異なる配線から前記入力端子に供給されることを特徴とする請求項１乃至請求項３の何れか１項記載の表示装置。
【請求項１０】
走査信号線と、前記走査信号線と交差した映像信号線と、電源配線と、前記走査信号線と前記映像信号線との交差部近傍に配置された画素とを具備し、前記画素は、互いに対向した一対の電極とそれらの間に流れる電流に応じて光学特性が変化する光学層とを備えた表示素子と、ソース及びドレインの一方が前記電源配線に接続されるとともに他方が前記一対の電極の一方に接続され且つゲートが前記映像信号線に接続された駆動用トランジスタと、前記駆動用トランジスタのゲートと前記映像信号線との間に介在したコンデンサとを具備した表示装置の駆動方法であって、
前記駆動用トランジスタのソース及びドレインの他方と前記表示素子との間を非導通状態とするとともに、前記駆動用トランジスタのソースとドレインとの間に所定の定電流が流れるのを可能とする第１導電パス及び前記駆動用トランジスタのゲートと前記画素の外部との間での電荷の移動を可能とする第２導電パスを形成した状態で、前記第１コンデンサの前記映像信号線側の電極の電位をリセット電位に設定しつつ、前記駆動用トランジスタのソースとドレインとの間に流れる電流をリセット電流と等しくすることにより、前記駆動用トランジスタのゲートに補正信号を供給し、
前記補正信号の供給後に前記第２導電パスを遮断し、
前記第２導電パスの遮断と同時またはそれよりも後に前記第１導電パスを遮断し、
前記第２導電パスの遮断後に前記第１コンデンサの前記映像信号線側の電極に映像信号を供給し、
前記第１導電パスの遮断後であり且つ前記映像信号の供給開始後に前記駆動用トランジスタのソース及びドレインの他方と前記表示素子との間を導通状態とすることを特徴とする表示装置の駆動方法。
【発明の詳細な説明】
【０００１】
【発明の属する技術分野】
本発明は、表示装置及びその駆動方法に係り、特には、表示素子の光学特性をそれに流す電流により制御する表示装置及びその駆動方法に関する。
【０００２】
【従来の技術】
有機ＥＬ（エレクトロルミネッセンス）表示装置のように表示素子の光学特性をそれに流す駆動電流によって制御する表示装置では、駆動電流のばらつきによる輝度むら等の画質不良が生じている。それゆえ、そのような表示装置でアクティブマトリクス駆動方式を採用した場合には、表示素子を駆動する駆動用トランジスタの特性が各画素間でほぼ同一であることが要求される。しかしながら、表示装置では、通常、トランジスタをガラス基板などの絶縁体上に形成するため、トランジスタ特性のばらつきを生じ易い。
【０００３】
この問題に対しては、図８及び図９に示す回路が提案されている（特許文献１及び２を参照のこと）。以下、これら回路を用いた駆動用トランジスタの特性補正について説明する。
【０００４】
図８に示す回路（閾値キャンセル型）を用いた有機ＥＬ表示装置１では、何れかの画素２を表示状態とするに際し、まず、制御線７を利用して出力制御用スイッチＳｗ２を非導通状態とするとともに、制御線１５を利用して補正用スイッチＳｗ３を導通状態として、駆動用トランジスタＴｒのソース−ドレイン間に電流が流れなくなるまでコンデンサＣ１，Ｃ２に電荷を供給する。この状態では、駆動用トランジスタＴｒのドレイン−ゲート間は接続されているので、点Ａ電位は駆動用トランジスタＴｒの閾値Ｖｔｈとなる。なお、この間、図示しない走査信号線ドライバから走査信号線６に走査信号を供給して選択用スイッチＳｗ１を導通状態とするとともに、図示しない映像信号線ドライバから映像信号線９にリセット信号Ｖｒｓｔを供給しておく。
【０００５】
以上の動作を終了したのち、補正用スイッチＳｗ３を非導通状態とするとともに出力制御用スイッチＳｗ２を導通状態とし、さらに、映像信号線ドライバから映像信号線９に映像信号Ｖｓｉｇを供給する。これにより、駆動用トランジスタＴｒのゲート電位は、ＶｒｓｔからＶｓｉｇへの変量と等しい量だけ閾値Ｖｔｈから変動する。その結果、その変動量に応じた駆動電流が、電源配線１１から駆動用トランジスタＴｒ及び出力制御用スイッチＳｗ２を介して有機ＥＬ素子２０に供給される。
【０００６】
このように、図８に示す回路によると、駆動電流に閾値Ｖｔｈが与える影響を排除することができる。したがって、画素２０間で駆動用トランジスタＴｒの閾値がばらついていたとしても、そのようなばらつきが有機ＥＬ素子２０に供給する駆動電流に与える影響を最小とすることができる。
【０００７】
しかしながら、駆動電流は、駆動用トランジスタＴｒの閾値だけでなく、その移動度や寸法などの影響も受ける。そのため、図８に示す回路によると、表示ムラが視認されなくなるまで発光均一性を改善することは難しい。
【０００８】
他方、図９に示す回路（カレントコピー型）を用いた有機ＥＬ表示装置１では、何れかの画素２を表示状態とするに際し、まず、出力制御用スイッチＳｗ２を非導通状態とするとともに、選択用スイッチＳｗ１及び補正・書き込み用スイッチＳｗ４を導通状態とする。次いで、この状態で、駆動用トランジスタＴｒのソース−ドレイン間に、図示しない定電流回路を用いて映像信号に対応した電流Ｉｓｉｇを流す。この動作により、コンデンサの両端間の電圧は、駆動用トランジスタＴｒのチャネルに電流Ｉｓｉｇを流すのに必要なゲート−ソース間電圧となる。
【０００９】
その後、選択用スイッチＳｗ１及び補正・書き込み用スイッチＳｗ４を非導通状態とし、さらに、出力制御用スイッチＳｗ２を導通状態とする。点Ｂ電位は、先の動作により、駆動用トランジスタＴｒのソース−ドレイン間に電流Ｉｓｉｇとほぼ等しい駆動電流が流れるように設定されている。
【００１０】
このように、図９に示す回路によると、映像信号に応じた電流Ｉｓｉｇとほぼ等しい大きさの電流を駆動用トランジスタＴｒのソース−ドレイン間にも流すことができる。それゆえ、駆動用トランジスタＴｒの閾値Ｖｔｈだけでなく移動度や寸法などが駆動電流に与える影響も排除することができる。
【００１１】
しかしながら、図９に示す回路では、画素の大型化に伴い映像信号配線の配線抵抗が増大し、映像信号に対応した低レベルの電流Ｉｓｉｇでの駆動が困難となる。
【００１２】
しかも、図９に示す回路では、上記の通り、電流値を映像信号に応じて自由に増減させ得る定電流回路を必要とする。通常、そのような定電流回路は、定電圧回路や電流値が固定された定電流回路に比べて遥かに高価である。そのため、図９に示す回路を用いた有機ＥＬ表示装置には、高コストとなるという問題がある。
【００１３】
【特許文献１】
米国特許第６，２２９，５０６号明細書
【００１４】
【特許文献２】
米国特許第６，３７３，４５４Ｂ１号明細書
【００１５】
【発明が解決しようとする課題】
本発明の目的は、トランジスタの特性のばらつきが駆動電流に与える影響を低減可能であり且つコストを低減するうえで有利な表示装置及びそのような表示装置の駆動方法を提供することにある。
【００１６】
【課題を解決するための手段】
本発明の第１の側面によると、複数の画素がマトリクス状に配置された表示装置であって、各画素は、映像信号及びリセット信号が入力される入力端子と、ゲートがコンデンサを介して前記入力端子と接続され、ソースが電源配線と接続された駆動用トランジスタと、前記駆動用トランジスタの前記ゲートと定電流回路とを接続する第１スイッチと、前記駆動用トランジスタのドレインと前記定電流回路とを接続する第２スイッチと、前記駆動用トランジスタの前記ドレインと出力制御スイッチを介して接続された表示素子とを備えたことを特徴とする表示装置が提供される。
【００１７】
本発明の第２の側面によると、複数の画素がマトリクス状に配置された表示装置であって、各画素は、映像信号及びリセット信号が入力される入力端子と、ゲートがコンデンサを介して前記入力端子と接続され、ソースが電源配線と接続された駆動用トランジスタと、前記駆動用トランジスタのドレインと出力制御スイッチを介して接続された表示素子と、前記出力制御スイッチにより前記駆動用トランジスタの前記ドレインと前記表示素子との間を非導通状態とした際に、前記駆動用トランジスタのソースとドレインとの間に所定の定電流が流れるのを可能とする第１導電パス及び前記駆動用トランジスタの前記ゲートと前記画素の外部との間での電荷の移動を可能とする第２導電パスを形成する補正信号供給制御部とを具備したことを特徴とする表示装置が提供される。
【００１８】
本発明の第３の側面によると、複数の画素がマトリクス状に配置された表示装置であって、各画素は、補正期間においてリセット信号が供給され、前記補正期間に続く映像信号書き込み期間において映像信号が供給される入力端子と、ゲートがコンデンサを介して前記入力端子と接続され、ソースが電源配線と接続され、前記映像信号書き込み期間において前記映像信号に基づき駆動電流を制御する駆動用トランジスタと、前記駆動用トランジスタにより制御された駆動電流で動作する表示素子と、前記映像信号供給後に前記駆動用トランジスタのドレインと表示素子とを接続する出力制御スイッチと、前記補正期間において、前記駆動用トランジスタのソースとドレインとの間に所定の定電流が流れるのを可能とする第１導電パス及び前記駆動用トランジスタのゲートと前記画素の外部との間での電荷の移動を可能とする第２導電パスを形成し、前記映像信号書き込み期間において、前記第１導電パス及び前記第２導電パスを遮断する補正信号供給制御部と、を備え、前記コンデンサは、前記補正期間において、前記所定の定電流に対応する前記駆動用トランジスタのゲート電位に応じた電荷とリセット信号に応じた電荷を保持し、前記映像信号書き込み期間において、前記電荷を保持した状態で一電極側に前記映像信号が供給されることを特徴とする表示装置が提供される。
【００１９】
本発明の第４の側面によると、走査信号線と、前記走査信号線と交差した映像信号線と、電源配線と、前記走査信号線と前記映像信号線との交差部近傍に配置された画素とを具備し、前記画素は、互いに対向した一対の電極とそれらの間に流れる電流に応じて光学特性が変化する光学層とを備えた表示素子と、ソース及びドレインの一方が前記電源配線に接続されるとともに他方が前記一対の電極の一方に接続され且つゲートが前記映像信号線に接続された駆動用トランジスタと、前記駆動用トランジスタのゲートと前記映像信号線との間に介在したコンデンサとを具備した表示装置の駆動方法であって、前記駆動用トランジスタのソース及びドレインの他方と前記表示素子との間を非導通状態とするとともに、前記駆動用トランジスタのソースとドレインとの間に所定の定電流が流れるのを可能とする第１導電パス及び前記駆動用トランジスタのゲートと前記画素の外部との間での電荷の移動を可能とする第２導電パスを形成した状態で、前記第１コンデンサの前記映像信号線側の電極の電位をリセット電位に設定しつつ、前記駆動用トランジスタのソースとドレインとの間に流れる電流をリセット電流と等しくすることにより、前記駆動用トランジスタのゲートに補正信号を供給し、前記補正信号の供給後に前記第２導電パスを遮断し、前記第２導電パスの遮断と同時またはそれよりも後に前記第１導電パスを遮断し、前記第２導電パスの遮断後に前記第１コンデンサの前記映像信号線側の電極に映像信号を供給し、前記第１導電パスの遮断後であり且つ前記映像信号の供給開始後に前記駆動用トランジスタのソース及びドレインの他方と前記表示素子との間を導通状態とすることを特徴とする表示装置の駆動方法が提供される。
【００２０】
なお、ここで、「接続」は電気的接続を意味する。すなわち、構成要素Ａと構成要素Ｂとが互いに接続されていると規定した場合、それらは、配線やトランジスタのソース−ドレイン間などの導体路及び／またはコンデンサを介して接続され得る。
【００２１】
第１乃至第３の側面において、画素は、入力端子にそのドレインが接続された選択用トランジスタを更に備えていてもよい。この場合、選択用トランジスタは、ゲートが画素の各行方向に配線された走査配線に接続され、ソースが画素の各列方向に配線された映像信号配線に接続されていてもよい。また、画素は、一方の電極が駆動用トランジスタのソースに接続されるとともに他方の電極が駆動用トランジスタのゲートに接続されたコンデンサをさらに具備していてもよい。
【００２２】
第１乃至第３の側面において、表示素子は有機ＥＬ素子であってもよい。
第２及び第３の側面において、表示装置は、画素の行毎に同時に第１導電パス及び第２導電パスを形成してもよい。或いは、表示装置は、各行の画素毎に第１導電パス及び第２導電パスを形成してもよい。
第１乃至第３の側面において、映像信号及びリセット信号はそれぞれ異なる配線から入力端子に供給されてもよい。
【００２３】
【発明の実施の形態】
以下、本発明の実施形態について、図面を参照しながら詳細に説明する。なお、各図において、同様または類似する構成要素には同一の参照符号を付し、重複する説明は省略する。
【００２４】
図１は、本発明の第１の実施形態に係る表示装置の回路構成を概略的に示す図である。この表示装置１は、例えば、有機ＥＬ表示装置であり、複数の画素２を備えている。画素２は、基板３上にマトリクス状に配置されており、この基板３上には走査信号線ドライバ４及び定電流回路を内蔵した映像信号線ドライバ５が設けられている。また、この基板３上には、走査信号線ドライバ４に接続された走査信号線６及び制御線７，８が図中横方向（画素の行方向）に延在するように設けられるとともに、映像信号線ドライバ５に接続された映像信号線９及び映像信号線ドライバ５が内蔵する定電流回路に接続されたリセット信号線１０が図中縦方向（画素の列方向）に延在するように設けられている。さらに、この基板３上には、電源配線１１が設けられている。
【００２５】
画素２は、駆動用トランジスタＴｒ、選択用スイッチＳｗ１、出力制御用スイッチＳｗ２、補正信号供給制御用スイッチＳｗ５ａ，Ｓｗ５ｂ、コンデンサＣ１，Ｃ２、及び表示素子２０を備えている。これらＳｗ１，Ｓｗ２，Ｓｗ５ａ，Ｓｗ５ｂは、例えば、薄膜トランジスタ（ＴＦＴ）であり、コンデンサＣ１，Ｃ２は、例えば、薄膜コンデンサである。また、駆動用トランジスタＴｒはここではＴＦＴで構成されていることとする。
【００２６】
表示素子２０は、互いに対向した陽極及び陰極とそれらの間に流れる電流に応じて光学特性が変化する光学層とを備えている。ここでは、一例として、表示素子２０は、光学層として発光層を含んだ有機ＥＬ素子とする。また、ここでは、陽極は下部電極として設けられるとともに出力制御用スイッチＳｗ２を介して駆動用トランジスタＴｒに接続され、陰極は上部電極として設けられるとともに光学層を介して下部電極と対向配置されている。
【００２７】
駆動用トランジスタＴｒは、例えば、ｐチャネルＴＦＴであり、そのゲートはコンデンサＣ１の一方の電極に接続されている。駆動用トランジスタＴｒがｐチャネルＴＦＴである場合、そのソースは電源配線１１に接続し、ドレインは出力制御用スイッチＳｗ２を介して有機ＥＬ素子２０の下部電極に接続する。
【００２８】
選択用スイッチＳｗ１は、映像信号線９とコンデンサＣ１を介して駆動用トランジスタＴｒのゲートとの間に介在しており、それらの間の導通／非導通を走査信号線６から供給される走査信号に応じて切り替える。選択用スイッチＳｗ１は例えばｐチャネルＴＦＴであり、この場合、そのゲートは走査信号線６に接続し、ソースは映像信号線９に接続し、ドレインはコンデンサＣ１の他方の電極に接続する。
【００２９】
出力制御用スイッチＳｗ２は、駆動用トランジスタＴｒと有機ＥＬ素子２０との間に介在しており、それらの間の導通／非導通を制御線７から供給される制御信号に応じて切り替える。出力制御用スイッチＳｗ２は例えばｐチャネルＴＦＴであり、この場合、そのゲートは制御線７に接続し、ソース及びドレインは駆動用トランジスタＴｒと有機ＥＬ素子２０とにそれぞれ接続する。
【００３０】
補正信号供給制御用スイッチＳｗ５ａは、駆動用トランジスタＴｒのゲートとリセット信号線１０との間に介在しており、それらの間の導通／非導通を制御線８から供給される制御信号に応じて切り替える。補正信号供給制御用スイッチＳｗ５ａは例えばｐチャネルＴＦＴであり、この場合、そのゲートは制御線８に接続し、ソース及びドレインは駆動用トランジスタＴｒのゲートとリセット信号線１０とにそれぞれ接続する。
【００３１】
補正信号供給制御用スイッチＳｗ５ｂは、駆動用トランジスタＴｒのドレインとリセット信号線１０との間に介在しており、それらの間の導通／非導通を制御線８から供給される制御信号に応じて切り替える。補正信号供給制御用スイッチＳｗ５ｂは例えばｐチャネルＴＦＴであり、この場合、そのゲートは制御線８に接続し、ソース及びドレインは駆動用トランジスタＴｒのドレインとリセット信号線１０とにそれぞれ接続する。
【００３２】
なお、補正信号供給制御用スイッチＳｗ５ａ，Ｓｗ５ｂは、補正信号供給制御部を構成している。この補正信号供給制御部は、駆動用トランジスタＴｒのソース及びドレインの一方（ここではドレイン）と駆動用トランジスタＴｒのゲートとリセット信号線１０との導通状態を、それら全てが互いに導通した状態と、それら全てが互いに絶縁された状態との間で切り替えることができれば、図１に示す以外の構造を有していてもよい。例えば、図１では補正信号供給制御用スイッチＳｗ５ａ，Ｓｗ５ｂの導通状態を１本の制御線８で制御しているが、２本の制御線で制御してもよい。また、図１では、補正信号供給制御用スイッチＳｗ５ａを駆動用トランジスタＴｒのドレインとリセット信号線１０との間に介在させているが、補正信号供給制御用スイッチＳｗ５ａは駆動用トランジスタＴｒのドレインと駆動用トランジスタＴｒのゲートとの間に介在させてもよい。
【００３３】
コンデンサＣ１は、選択用スイッチＳｗ１と駆動用トランジスタＴｒのゲートとの間に介在している。また、コンデンサＣ２は、駆動用トランジスタＴｒのソースと駆動用トランジスタＴｒのゲートとの間に介在している。コンデンサＣ１，Ｃ２の容量は互いに等しくなくてもよいが、簡略化のため、ここでは互いに等しいこととする。
【００３４】
本実施形態では、図１に示す表示装置１を例えば以下に説明する方法により駆動する。
【００３５】
図２は、図１に示す表示装置１の駆動方法の一例を概略的に示すタイミングチャートである。また、図３（ａ）及び（ｂ）は、図１に示す表示装置１を図２に示す方法で駆動した場合に流れる電流の向きを示す図である。なお、図２では、スイッチＳｗ１，Ｓｗ２，Ｓｗ５ａ，Ｓｗ５ｂが何れもｐチャネルＴＦＴである場合を想定しており、「Ｓｗ５ゲート電位」はスイッチＳｗ５ａ，Ｓｗ５ｂのゲート電位を示し、「点Ｄ電位」は駆動用トランジスタＴｒのゲート電位を示している。また、図３（ａ）及び（ｂ）において、点線矢印は電流の流れる向きを示している。
【００３６】
図２に示す駆動方法では、補正期間▲２▼と書き込み期間▲３▼とで一水平周期を構成し、補正期間▲２▼と書き込み期間▲３▼と保持期間▲４▼とで一垂直周期を構成する。なお、期間▲１▼は、一垂直周期前の保持期間である。このとき、選択用スイッチＳｗ１及び補正信号供給制御用スイッチＳｗ５ａ，Ｓｗ５ｂは非導通状態にあり、出力制御用スイッチＳｗ２は導通状態にある。また、駆動用トランジスタＴｒは、１フレーム前に書き込んだ映像信号Ｖｓｉｇの大きさに対応した導通状態にあり、有機ＥＬ素子２０は発光している。
【００３７】
補正期間▲２▼では、まず、選択用スイッチＳｗ１及び補正信号供給制御用スイッチＳｗ５ａ，Ｓｗ５ｂを非導通状態としたまま、出力制御用スイッチＳｗ２を非導電状態とする。次に、補正信号供給制御用スイッチＳｗ５ａ，Ｓｗ５ｂを導通状態とするとともに、選択用スイッチＳｗ１を導通状態として点Ｅにリセット信号Ｖｒｓｔを供給する。さらに、この状態で、図３（ａ）に示すように所定の定電流（リセット電流）Ｉｒｓｔを流す。こうすると、駆動用トランジスタＴｒのゲートとリセット信号線１０との間で電流が流れ、その結果、点Ｄ電位は図２に示すように変化する。すなわち、点Ｄは、駆動用トランジスタＴｒの閾値、移動度、及びサイズなどの素子特性を反映した補正電位Ｖｃｒｃｔで安定する。その後、補正信号供給制御用スイッチＳｗ５ａ，Ｓｗ５ｂを非導通状態とすることにより、補正期間▲２▼を終了する。こうしてコンデンサＣ１の各電極には、リセット信号Ｖｒｓｔ及び補正電位に応じた電荷が保持される。ここで、補正期間に制御された所定の定電流Ｉｒｓｔは、リセット信号Ｖｒｓｔの階調に相当する駆動電流となるよう設定することが望ましく、この所定電流は、最も補正効果を出したい階調に適宜設定される。
【００３８】
書き込み期間▲３▼では、まず、引き続き、選択用スイッチＳｗ１を導通状態とし且つ出力制御用スイッチＳｗ２及び補正信号供給制御用スイッチＳｗ５ａ，Ｓｗ５ｂを非導通状態としたまま、入力端子（点Ｅ）に映像信号Ｖｓｉｇを供給する。こうすると、図２に示すように、点Ｅ電位の変化に伴い、点Ｄ電位が変化する。次いで、出力制御用スイッチＳｗ２を導通状態とする。これにより、図３（ｂ）に示すように有機ＥＬ素子２０に電流が流れ、有機ＥＬ素子２０は先の映像信号Ｖｓｉｇに対応した輝度で発光する。その後、選択用スイッチＳｗ１を非導通状態とすることにより書き込み期間▲３▼を終了する。
【００３９】
保持期間▲４▼では、選択用スイッチＳｗ１及び補正信号供給制御用スイッチＳｗ５ａ，Ｓｗ５ｂは非導通状態にあり、出力制御用スイッチＳｗ２は導通状態にある。そのため、点Ｄ電位はほぼ一定に維持され、有機ＥＬ素子２０は先の映像信号Ｖｓｉｇに対応した輝度で発光し続ける。
【００４０】
この方法では、上記の通り、駆動用トランジスタＴｒの素子特性，すなわち、駆動用トランジスタＴｒの閾値、移動度、及びサイズなど，を反映した補正電位Ｖｃｒｃｔを用いて特性補正を行う。加えて、この方法では、或るトランジスタに関して得られた補正信号Ｖｃｒｃｔは、そのトランジスタ自体を補正するのに利用する。そのため、上記の方法によれば、トランジスタの特性のばらつきが駆動電流に与える影響を極めて効果的に低減可能となる。
【００４１】
また、この方法では、定電流Ｉｒｓｔを流し得る定電流回路を必要とするが、電流値を任意に変化させ得る定電流回路は不要である。そのため、上記の方法は、表示装置１のコストを低減するうえで非常に有利である。
【００４２】
図４は、本発明の第１の実施形態に係る方法により得られる効果の一例を示すグラフである。図中、横軸は書き込み期間にコンデンサＣ１の選択用スイッチＳｗ１側の電極に供給した映像信号Ｖｓｉｇを示し、縦軸は保持期間に駆動用トランジスタＴｒのソースとドレインとの間を流れた電流（出力電流）を示している。また、図中、参照番号５１ａ乃至５１ｃで示す曲線は図２を参照した方法により図１に示す表示装置１を駆動した場合に得られたデータを示し、参照番号５２ａ乃至５２ｃで示す曲線は図８に示す表示装置１をそれに関して説明した方法により駆動した場合に得られたデータを示している。
【００４３】
なお、ここでは、曲線５１ａ乃至５１ｃ及び曲線５２ａ乃至５２ｃで示すデータを得るに際し、駆動用トランジスタＴｒのチャネル幅は５μｍとし、チャネル長は２０μｍとした。また、曲線５１ａ，５２ａで示すデータを得るに際しては駆動用トランジスタＴｒの移動度を１００ｃｍ２／Ｖ・Ｓとし、曲線５１ｂ，５２ｂで示すデータを得るに際しては駆動用トランジスタＴｒの移動度を１５０ｃｍ２／Ｖ・Ｓとし、曲線５１ｃ，５２ｃで示すデータを得るに際しては駆動用トランジスタＴｒの移動度を２００ｃｍ２／Ｖ・Ｓとした。さらに、曲線５１ａ乃至５１ｃ及び曲線５２ａ乃至５２ｃで示すデータを得るに際しては、リセット電位Ｖｒｓｔを０Ｖとするとともにリセット電流Ｉｒｓｔを０．５μＡとした。
【００４４】
図４に示す曲線５１ａ乃至５１ｃと曲線５２ａ乃至５２ｃとの比較から明らかなように、本実施形態に係る方法によると、図８を参照して説明した方法に比べ、駆動用トランジスタＴｒの移動度のばらつきが出力電流に与える影響が抑制されている。例えば、駆動用トランジスタＴｒの移動度が１５０ｃｍ２／Ｖ・Ｓである表示装置１で出力電流を１．５μＡとする映像信号に着目すると、駆動用トランジスタＴｒの移動度のばらつきが出力電流に与える影響は、本実施形態に係る方法では、図８を参照して説明した方法の１／２以下である。このように、本実施形態によると、トランジスタの特性のばらつきが駆動電流に与える影響を極めて効果的に低減可能となる。
【００４５】
次に、本発明の第２の実施形態について説明する。
【００４６】
上述の実施形態においては、駆動用トランジスタＴｒの補正動作を、各水平周期において対応する画素行ごとに同時に動作させる場合について説明したが、本実施形態においては、水平周期間内に時分割し、一例として１画素毎に順次補正動作を行う場合について説明する。
【００４７】
図５は、本発明の第２の実施形態に係る表示装置の回路構成を概略的に示す図である。この表示装置１は、例えば、有機ＥＬ表示装置であり、複数の画素２を備えている。画素２は、基板３上にマトリクス状に配置されており、この基板３上には定電流回路を内蔵した走査信号線ドライバ４及び映像信号線ドライバ５が設けられている。また、この基板３上には、走査信号線ドライバ４に接続された走査信号線６及び制御線７，８ａ並びに走査信号線ドライバ４が内蔵する定電流回路に接続されたリセット信号線１０が図中横方向（画素の行方向）に延在するように設けられるとともに、映像信号線ドライバ５に接続された映像信号線９及び制御線８ｂが図中縦方向（画素の列方向）に延在するように設けられている。さらに、この基板３上には、電源配線１１が設けられている。
【００４８】
画素２は、駆動用トランジスタＴｒ、選択用スイッチＳｗ１、出力制御用スイッチＳｗ２、補正信号供給制御用スイッチＳｗ５ａ，Ｓｗ５ｂ，Ｓｗ５ｃ、コンデンサＣ１，Ｃ２、Ｃ３及び表示素子２０を備えている。これらＳｗ１，Ｓｗ２，Ｓｗ５ａ，Ｓｗ５ｂ，Ｓｗ５ｃは、例えば、薄膜トランジスタ（ＴＦＴ）であり、コンデンサＣ１，Ｃ２、Ｃ３は、例えば、薄膜コンデンサである。また、駆動用トランジスタＴｒはここではＴＦＴで構成されていることとする。
【００４９】
補正信号供給制御用スイッチＳｗ５ｃは、制御線８ｂと補正信号供給制御用スイッチＳｗ５ａ，Ｓｗ５ｂのゲートとの間に介在しており、それらの間の導通／非導通を制御線８ａから供給される制御信号に応じて切り替える。すなわち、本実施形態では、補正信号供給制御用スイッチＳｗ５ａ，Ｓｗ５ｂ，Ｓｗ５ｃにより補正信号供給制御部を構成している。また、コンデンサＣ３は、スイッチＳｗ５ａ、Ｓｗ５ｂのゲート及び固定電圧電源（ここではＧＮＤ）との間に接続される。
【００５０】
補正信号供給制御用スイッチＳｗ５ｃは例えばｐチャネルＴＦＴである。この場合、補正信号供給制御用スイッチＳｗ５ｃのゲートは制御線８ａに接続し、ソース及びドレインは制御線８ｂと補正信号供給制御用スイッチＳｗ５ａ，Ｓｗ５ｂのゲートとにそれぞれ接続する。この補正信号供給制御用スイッチＳｗ５により、補正動作を行う画素を順次選択することが可能となる。
【００５１】
このように、本実施形態では、定電流回路に接続されたリセット信号線１０を走査信号線６とほぼ平行な方向に設けるとともに、縦横に延在した制御線８ａ，８ｂと補正信号供給制御用スイッチＳｗ５ｃとで補正信号供給制御用スイッチＳｗ５ａ，Ｓｗ５ｂの導通／非導通を画素２毎に制御可能としている。そのため、同一行内の画素２に対して第１の実施形態で説明したのと同様の補正を順次行うことができ、それゆえ、例えば１つの定電流回路で１つの行に含まれる全ての画素２を補正することができる。また、適宜設計することにより、或る行に含まれる画素２の補正に使用した定電流回路は、他の行に含まれる画素２の補正にも使用することができる。
【００５２】
各リセット信号線を電気的に切り離した状態で動作せることが可能となり、定電流回路の消費電力を低減することができる。
【００５３】
次に、本発明の第３の実施形態について説明する。
図６は、本発明の第３の実施形態に係る表示装置の回路構成を概略的に示す図である。また、図７は、図６に示す表示装置１の駆動方法の一例を概略的に示すタイミングチャートである。なお、図７では、「Ｓｗ５ゲート電位」はスイッチＳｗ５ａ，Ｓｗ５ｂ、Ｓｗ５ｄのゲート電位を示す。この表示装置１は、例えば、有機ＥＬ表示装置であり、複数の画素２を備えている。画素２は、基板３上にマトリクス状に配置されており、この基板３上には走査信号線ドライバ４及び定電流回路を内蔵した映像信号線ドライバ５が設けられている。また、この基板３上には、走査信号線ドライバ４に接続された走査信号線６、制御線７，８、リセット信号供給線１３が図中横方向（画素の行方向）に延在するように設けられるとともに、映像信号線ドライバ５に接続された映像信号線９が図中縦方向（画素の列方向）に延在するように設けられている。さらに、この基板３上には、電源配線１１が設けられている。また、図示しないが、映像信号線９は、映像信号線ドライバ５において、定電流回路及び映像信号を供給する回路間で、適宜切替接続される。
【００５４】
画素２は、駆動用トランジスタＴｒ、選択用スイッチＳｗ１、出力制御用スイッチＳｗ２、補正信号供給制御用スイッチＳｗ５ａ，Ｓｗ５ｂ，Ｓｗ５ｄ、コンデンサＣ１，Ｃ２、及び表示素子２０を備えている。これらＳｗ１，Ｓｗ２，Ｓｗ５ａ，Ｓｗ５ｂ，Ｓｗ５ｄは、例えば、薄膜トランジスタ（ＴＦＴ）であり、コンデンサＣ１，Ｃ２は、例えば、薄膜コンデンサである。また、駆動用トランジスタＴｒはここではＴＦＴで構成されていることとする。
【００５５】
補正信号供給制御用スイッチＳｗ５ｄは、リセット信号供給線１３とコンデンサＣ１の選択用スイッチＳｗ１側の電極との間に介在しており、それらの間の導通／非導通を制御線８から供給される制御信号に応じて切り替える。本実施形態では、補正信号供給制御用スイッチＳｗ５ａ，Ｓｗ５ｂ，Ｓｗ５ｄにより補正信号供給制御部を構成している。
【００５６】
補正信号供給制御用スイッチＳｗ５ｄは例えばｐチャネルＴＦＴである。この場合、補正信号供給制御用スイッチＳｗ５ｄのゲートは制御線８に接続し、ソース及びドレインはリセット信号供給線１３とコンデンサＣ１の選択用スイッチＳｗ１側の電極とにそれぞれ接続する。
【００５７】
本実施形態では、リセット信号供給線１３から補正信号供給制御用スイッチＳｗ５ｄを介して点Ｅにリセット信号Ｖｒｓｔを供給するとともに、リセット電流Ｉｒｓｔが映像信号線９を流れ得るようにしている。すなわち、映像信号Ｖｓｉｇの供給及びリセット電流Ｉｒｓｔの設定の双方に映像信号線９を利用している。そのため、映像信号線とは独立に配線されるリセット信号線が不要となるため、映像信号線９に略平行な方向に延在した配線の数を低減することができる。
【００５８】
【発明の効果】
以上説明したように、本発明によると、トランジスタの特性のばらつきが駆動電流に与える影響を低減可能であり且つコストを低減するうえで有利な表示装置及びそのような表示装置の駆動方法が提供される。
【図面の簡単な説明】
【図１】本発明の第１の実施形態に係る表示装置の回路構成を概略的に示す図。
【図２】図１に示す表示装置の駆動方法の一例を概略的に示すタイミングチャート。
【図３】（ａ）及び（ｂ）は、図１に示す表示装置を図２に示す方法で駆動した場合に流れる電流の向きを示す図。
【図４】本発明の第１の実施形態に係る方法により得られる効果の一例を示すグラフ。
【図５】本発明の第２の実施形態に係る表示装置の回路構成を概略的に示す図。
【図６】本発明の第３の実施形態に係る表示装置の回路構成を概略的に示す図。
【図７】図６に示す表示装置の駆動方法の一例を概略的に示すタイミングチャート。
【図８】従来の回路構成の一例を概略的に示す図。
【図９】従来の回路構成の他の例を概略的に示す図。
【符号の説明】
１…表示装置
２…画素
３…基板
４…走査信号線ドライバ
５…映像信号線ドライバ
６…走査信号線
７…制御線
８，８ａ，８ｂ…制御線
９…映像信号線
１０…リセット信号線
１１…電源配線
１２…制御線
１３…リセット信号供給線
１５…制御線
２０…表示素子
５１ａ，５１ｂ，５１ｃ…曲線
５２ａ，５２ｂ，５２ｃ…曲線
Ｔｒ…駆動用トランジスタ
Ｓｗ１…選択用スイッチ
Ｓｗ２…出力制御用スイッチ
Ｓｗ３…補正用スイッチ
Ｓｗ４ａ，Ｓｗ４ｂ…補正・書き込み用スイッチ
Ｓｗ５ａ，Ｓｗ５ｂ，Ｓｗ５ｃ，Ｓｗ５ｄ…補正信号供給制御用スイッチ
Ｃ１，Ｃ２…コンデンサ
【図１】
2004191388.tif 000003
【図２】
2004191388.tif 000004
【図３】
2004191388.tif 000005
【図４】
2004191388.tif 000006
【図５】
2004191388.tif 000007
【図６】
2004191388.tif 000008
【図７】
2004191388.tif 000009
【図８】
2004191388.tif 000010
【図９】
2004191388.tif 000011